(57)【要約】      （修正有）【課題】リングの収納部においてリング同士が重なり合わず、リングを１本〜数本取り出す際に容易に摘まんで取り出すことができ、リングの収納も楽に行うことが可能で、しかも安価なリング掛け治具を提供する。【解決手段】上部片１ａと下部片１ｂからなる少なくとも１個のリング保持板Ｐを備えたリング掛け治具１であって、リング保持板は上部片と下部片の間にリング６の出し入れを可能とした開口部傾斜路を備えた開口部２と開口部に続いてリングの収納を可能とした収納部傾斜路を備えた収納部３が少なくともそれぞれ１個設けられている。【選択図】図７
0003210418.tif 000002
【実用新案登録請求の範囲】
【請求項１】
上部片（１ａ）と下部片（１ｂ）からなる少なくとも１個のリング保持板（Ｐ）を備えたリング掛け治具（１）であって、前記リング保持板（Ｐ）は前記上部片（１ａ）と下部片（１ｂ）の間にリング（６）の出し入れを可能とした開口部傾斜路（２ａ）を備えた開口部（２）と前記開口部（２）に続いてリングの収納を可能とした収納部傾斜路（３ａ）を備えた収納部（３）が少なくともそれぞれ１個設けられていることを特徴とするリング掛け治具。
【請求項２】
前記リング保持板（Ｐ）と側片（１ｃ）と背片（１ｄ）とで囲まれたリング掛け治具（１）であって、前記リング保持板（Ｐ）は前記側片（１ｃ）に繋がって設けられており、前記側片（１ｃ）は前記背片（１ｄ）に繋がって設けられており、平面視コの字型の形状とし、該コの字型形状で囲まれた部分にリング（６）を収納するための収納スペース（４）が設けられていることを特徴とする請求項１に記載のリング掛け治具。
【請求項３】
前記収納部傾斜路（３ａ）に天井部（３ｂ）と底部（３ｃ）が設けられており、前記天井部（３ｂ）と底部（３ｃ）との間に所定の大きさの距離（Ｌ）が設けられており、収納したリング（６）の頂部（６ａ）と前記天井部（３ｂ）との間に多分に薄めの隙間（Ｓ）が設けられており、前記収納部傾斜路（３ａ）の長さ（Ｗ４）は複数のリング（６）を収納可能とする長さであることを特徴とする請求項１又は２に記載のリング掛け治具。
【請求項４】
前記収納部傾斜路（３ａ）に収納部傾斜路出入口部（３ｄ）と収納部傾斜路終端部（３ｅ）が設けられており、前記収納部傾斜路（３ａ）に前記収納部傾斜路出入口部（３ｄ）から前記収納部傾斜路終端部（３ｅ）に向けてリング保持板の底辺（Ｐｂ）に対し緩やかな下りこう配の傾斜角度（β）を設けたことを特徴とする請求項１〜３のいずれかに記載のリング掛け治具。
【請求項５】
前記開口部傾斜路（２ａ）を備えた開口部（２）の形状が、開口部傾斜路突起部（２ｂ）から前記収納部傾斜路出入口部（３ｄ）へ向けて設けられた漏斗型形状であることを特徴とする請求項１〜４のいずれかに記載のリング掛け治具。
【請求項６】
前記開口部傾斜路（２ａ）に、前記開口部傾斜路突起部（２ｂ）から前記収納部傾斜路出入口部（３ｄ）に向けてリング保持板の底辺（Ｐｂ）に対し前記収納部傾斜路の傾斜角度（β）より大きい下りこう配の傾斜角度（α）を設けたことを特徴とする請求項１〜５のいずれかに記載のリング掛け治具。
【請求項７】
前記側片（１ｃ）および背片（１ｄ）の少なくとも何れか一方に固定手段（５）が設けられており、該固定手段（５）を用いてリング掛け治具（１）を取付け面（７）に取り付け可能とすることを特徴とする請求項１〜６のいずれかに記載のリング掛け治具。
【請求項８】
前記請求項１〜７のいずれかに記載のリング掛け治具（１）において、リング保持板（Ｐ）が前後方向に複数個設けられ、それぞれのリング保持板（Ｐ）の収納部傾斜路終端部（３ｅ）側の端縁にはそれぞれ側片（１ｃ）が設けられ繋がっていて、側片（１ｃ）の両端部にはリング保持板（Ｐ）および背片（１ｄ）の少なくともいずれか一方が繋がっていることを特徴とするリング掛け治具。
【請求項９】
前記請求項１〜７のいずれかに記載のリング掛け治具（１）において、リング保持板（Ｐ）が側片大（１ｃｂ）の一方の端の上下方向に複数個設けられ、上下方向のそれぞれのリング保持板（Ｐ）の間に位置するリング保持板の上辺（Ｐａ）と底辺（Ｐｂ）の間にはリング受け部（８）が設けられ、側片大（１ｃｂ）の他方の端には背片大（１ｄｂ）が設けられ繋がっていることを特徴とするリング掛け治具。
【請求項１０】
前記請求項１〜７のいずれかに記載のリング掛け治具（１）において、リング保持板（Ｐ）が側片大（１ｃｂ）の両端にそれぞれ上下方向に複数個設けられ、それぞれの上下方向のそれぞれのリング保持板（Ｐ）の間に位置するリング保持板の上辺（Ｐａ）と底辺（Ｐｂ）の間にはリング受け部（８）が設けられていることを特徴とするリング掛け治具。
【請求項１１】
前記請求項１〜７のいずれかに記載のリング掛け治具（１）において、リング保持板（Ｐ）が側片（１ｃ）を中心として左右対称に設けられていることを特徴とするリング掛け治具。
【請求項１２】
前記請求項１〜７のいずれかに記載のリング掛け治具（１）において、リング保持板（Ｐ）が側片大（１ｃｂ）の一方の端の上下左右に複数個設けられ、上下方向のそれぞれのリング保持板（Ｐ）の間に位置するリング保持板の上辺（Ｐａ）と底辺（Ｐｂ）の間にはリング受け部（８）が設けられ、側片大（１ｃｂ）の他方の端には背片大（１ｄｂ）が設けられ繋がっていることを特徴とするリング掛け治具。
【考案の詳細な説明】
【技術分野】
【０００１】  本実用新案は、輪ゴム等リング状の物（輪ゴム、ひも、金属等）の使用上の利便を図ったリング掛け治具に関する。
【背景技術】
【０００２】  従来、輪ゴム等リング状の物は箱の中などに纏めて置かれたり、フックなどに纏めて吊るされたりしていたが、中でも輪ゴム使用上の利便を目的として輪ゴムの掛け具類にかかわる先行技術が生まれた（例えば先行技術文献１２、３参照）。
【先行技術文献】
【特許文献】
【０００３】
【特許文献１】実登３１５６１０４号公報
【特許文献２】特開２０１６−０１９５８１号公報
【特許文献３】実登３１５１５８４号公報
【考案の概要】
【考案が解決しようとする課題】
【０００４】  しかしながら、先行技術文献１、２の輪ゴムの掛け具類は輪ゴムの収納部において輪ゴム同士が重なり合い、取り出す輪ゴムを摘まむことが容易ではなかった、また、先行技術文献３は収納部内では１本ずつに分かれているように見えるものの垂直に重なっており、輪ゴムのサイズ（径）が違った場合取り出し口に位置する最下段の輪ゴムの下端より上部に位置するより大きな径の輪ゴムの下端が下にくる事があり前述に同じく取り出す輪ゴムを摘まむことが容易でない、かつ、輪ゴムを取り出す時に後発（上）の輪ゴムが重力で取り出す輪ゴムに接触したまま取り出し口のほうへ下がり一緒に出てくる、もしくは出口に挟まる恐れがある、構造も複雑。
本願考案のリング掛け治具はこれらを解決するためにリングの収納部においてリング同士が重なり合わないよう対策し、また、リングの出入口を広くして、リングを１本〜数本取り出す際に容易に摘まみ取り出すことができるようにした、また、リングの収納も楽に行うことが可能、しかも構造がシンプルでリング掛け治具を安価に提供することを課題とする。
【課題を解決するための手段】
【０００５】  本願考案の１は、上部片と下部片からなる少なくとも１個のリング保持板を備えたリング掛け治具であって、前記リング保持板は前記上部片と下部片の間にリングの出し入れを可能とした開口部傾斜路を備えた開口部と、前記開口部に続いてリングの収納を可能とした収納部傾斜路を備えた収納部が少なくともそれぞれ１個設けられていることを特徴とする。
係る構成によれば、リングの容易な出し入れと落下防止を可能とした開口部とリングが重なり合わず取り出しやすい収納部が、前後、左右、上下の自由な方向に自由な形で自由な数を追加、拡張できるという効果がある。【０００６】  本願考案の２は、前記リング保持板と側片と背片とで囲まれたリング掛け治具であって、前記リング保持板は前記側片に繋がって設けられており、前記側片は前記背片に繋がって設けられており、平面視コの字型の形状とし、該コの字型形状で囲まれた部分にリングを収納するための収納スペースが設けられていることを特徴とする。
係る構成によれば、本願考案のリング掛け治具が材料費、製造コストともに安価で短時間で製造できるという効果がある。【０００７】  本願考案の３は、前記収納部傾斜路に天井部と底部が設けられており、前記天井部と底部との間に所定の大きさの距離が設けられており、収納したリングの頂部と前記天井部との間に多分に薄めの隙間が設けられており、前記収納部傾斜路の長さは複数のリングを収納可能とする長さであることを特徴とする。
係る構成によれば、収納部において輪ゴム等リング同士が重なり合わず取り出しやすいという効果がある。【０００８】  本願考案の４は、前記収納部傾斜路に収納部傾斜路出入口部と収納部傾斜路終端部が設けられており、前記収納部傾斜路に前記収納部傾斜路出入口部から前記収納部傾斜路終端部に向けてリング保持板の底辺に対し緩やかな下りこう配の傾斜角度を設けたことを特徴とする。
係る構成によれば、収納部からリングを取り出す際に取り出すリングと後続リングとの離れを良くし、リングを収納する際にはリングが滑り込みやすく、また、先に収納したリングとの間に隙間を作らないという効果がある。【０００９】  本願考案の５は、前記開口部傾斜路を備えた開口部の形状が、開口部傾斜路突起部から前記収納部傾斜路出入口部へ向けて設けられた漏斗型形状であることを特徴とする。
係る構成によれば、輪ゴム等リング状の物を収納しやすく取り出しやすいという効果がある。【００１０】  本願考案の６は、前記開口部傾斜路に、前記開口部傾斜路突起部から前記収納部傾斜路出入口部に向けてリング保持板の底辺に対し前記収納部傾斜路の傾斜角度より大きい下りこう配の傾斜角度を設けたことを特徴とする。
係る構成によれば、収納部傾斜路出入口部からリングを取り出す際に取り出すリングと後続リングとの離れを良くし、開口部傾斜路突起部からリングを収納する際にはリングを収納部へ向かって落とし込み、入れやすくする、また、収納したリングの落下防止にもなるという効果がある。【００１１】  本願考案の７は、前記側片および背片の少なくとも何れか一方に固定手段が設けられており、該固定手段を用いてリング掛け治具を取付け面に取り付け可能とすることを特徴とする。
係る構成によれば、接着テープは取付け面を選ばず、マグネットが有効な面への取付けは脱着が簡単に行えるマグネットにて、両方を付した場合は接着テープにて固定するかマグネットにて固定するかを選択できるという効果がある。【００１２】  本願考案の８は、前記請求項１〜７のいずれかに記載のリング掛け治具において、リング保持板が前後方向に複数個設けられ、それぞれのリング保持板の収納部傾斜路終端部側の端縁にはそれぞれ側片が設けられ繋がっていて、側片の両端部にはリング保持板および背片の少なくともいずれか一方が繋がっていることを特徴とする。
係る構成によれば、リング掛け冶具の幅と高さを拡張せずに収納部を前後方向に自由に追加してリングの収納数を増やしていくことができ、それぞれの収納部で収納部傾斜路の天井部から底部までの距離を違えて作れば厚みの異なる複数種類のリングを収納することができる。また、利用の仕方や取り付け面への取付け方によりリングへアクセスする方向を選ぶことができるという効果がある。【００１３】  本願考案の９は、前記請求項１〜７のいずれかに記載のリング掛け治具において、リング保持板が側片大の一方の端の上下方向に複数個設けられ、上下方向のそれぞれのリング保持板の間に位置するリング保持板の上辺と底辺の間にはリング受け部が設けられ、側片大の他方の端には背片大が設けられ繋がっていることを特徴とする。
係る構成によれば、リング掛け冶具の幅を拡張せずに収納部を上下方向に自由に追加してリングの収納数を増やしていくことができ、それぞれの収納部で収納部傾斜路の天井部から底部までの距離を違えて作れば厚みの異なる複数種類のリングを収納することができる。また、利用方法や取り付け面への取り付け方によりリングへアクセスする方向を選ぶことができるという効果がある。【００１４】  本願考案の１０は、前記請求項１〜７のいずれかに記載のリング掛け治具において、リング保持板が側片大の両端にそれぞれ上下方向に複数個設けられ、それぞれの上下方向のそれぞれのリング保持板の間に位置するリング保持板の上辺と底辺の間にはリング受け部が設けられていることを特徴とする。
係る構成によれば、リング掛け冶具の幅を拡張せずに収納部を上下方向、前後方向に、自由に追加してリングの収納数を増やしていくことができ、それぞれの収納部で収納部傾斜路の天井部から底部までの距離を違えて作れば厚みの異なる複数種類のリングを収納することができる。また、利用の仕方や取り付け面への取り付け方によりリングへアクセスする方向を選ぶことができるという効果がある。【００１５】  本願考案の１１は、前記請求項１〜７のいずれかに記載のリング掛け治具において、リング保持板が側片を中心として左右対称に設けられていることを特徴とする。
係る構成によれば、左右からリングのアクセスができリングの収納数も倍になる。また、左右で収納部傾斜路の天井部から底部までの距離をそれぞれ違えて作れば厚みの異なる２種類のリングを収納できるという効果がある。【００１６】  本願考案の１２は、前記請求項１〜７のいずれかに記載のリング掛け治具において、リング保持板が側片大の一方の端の上下左右に複数個設けられ、上下方向のそれぞれのリング保持板の間に位置するリング保持板の上辺と底辺の間にはリング受け部が設けられ、側片大の他方の端には背片大が設けられ繋がっていることを特徴とする。
係る構成によれば、収納部を上下方向、左右方向に、自由に追加してリングの収納数を増やしていくことができ、リングへのアクセス方向も広がる、また、それぞれの収納部で収納部傾斜路の天井部から底部までの距離を違えて作れば厚みの異なる複数種類のリングを収納できるという効果がある。
【考案の効果】
【００１７】  これまでに考案されている輪ゴムの掛け具類は、輪ゴムを取り出す際の輪ゴム出入口部における輪ゴムの取り出しに対し利便性が図られていて、輪ゴムを取り出す際に輪ゴム収納部において取り出す輪ゴムを摘まむことが容易ではなかった、本願考案リング掛け治具は、輪ゴムに限らずリングを収納する際は基よりリングを取り出す際のリング１本〜数本の取り出しを容易にしている。【００１８】  本願考案の１によれば、リングの容易な出し入れと落下防止を可能とした開口部とリングが重なり合わず取り出しやすい収納部が、前後、左右、上下の自由な方向に自由な形で自由な数を追加、拡張できるという効果がある。【００１９】  本願考案の２によれば、リング掛け治具が材料費、製造コストともに安価で短時間で製造できるという効果がある。【００２０】  本願考案の３によれば、収納部において輪ゴム等リング同士が重なり合わず取り出しやすいという効果がある。【００２１】  本願考案の４によれば、収納部からリングを取り出す際に取り出すリングと後続リングとの離れを良くし、リングを収納する際にはリングが滑り込みやすく、また、先に収納したリングとの間に隙間を作らないという効果がある。【００２２】  本願考案の５によれば、輪ゴム等リング状の物を収納しやすく取り出しやすいという効果がある。【００２３】  本願考案の６によれば、収納部傾斜路出入口部からリングを取り出す際に取り出すリングと後続リングとの離れを良くし、開口部傾斜路突起部からリングを収納する際にはリングを収納部へ向かって落とし込み、入れやすくする、また、収納したリングの落下防止にもなるという効果がある。【００２４】    本願考案の７によれば、接着テープは取付け面を選ばず、マグネットが有効な面への取付けは脱着が簡単に行えるマグネットにて、両方を付した場合は接着テープにて固定するかマグネットにて固定するかを選択できるという効果がある。【００２５】  本願考案の８によれば、リング掛け冶具の幅と高さを拡張せずに収納部を前後方向に自由に追加してリングの収納数を増やしていくことができ、それぞれの収納部で収納部傾斜路の天井部から底部までの距離を違えて作れば厚みの異なる複数種類のリングを収納することができる。また、利用の仕方や取り付け面への取付け方によりリングへアクセスする方向を選ぶことができるという効果がある。【００２６】  本願考案の９によれば、リング掛け冶具の幅を拡張せずに収納部を上下方向に自由に追加してリングの収納数を増やしていくことができ、それぞれの収納部で収納部傾斜路の天井部から底部までの距離を違えて作れば厚みの異なる複数種類のリングを収納することができる。また、利用方法や取り付け面への取り付け方によりリングへアクセスする方向を選ぶことができるという効果がある。【００２７】  本願考案の１０によれば、リング掛け冶具の幅を拡張せずに収納部を上下方向、前後方向に、自由に追加してリングの収納数を増やしていくことができ、それぞれの収納部で収納部傾斜路の天井部から底部までの距離を違えて作れば厚みの異なる複数種類のリングを収納することができる。また、利用の仕方や取り付け面への取り付け方によりリングへアクセスする方向を選ぶことができるという効果がある。【００２８】  本願考案の１１によれば、左右からリングのアクセスができリングの収納数も倍になる。また、左右で収納部傾斜路の天井部から底部までの距離をそれぞれ違えて作れば厚みの異なる２種類のリングを収納できるという効果がある。【００２９】  本願考案の１２によれば、収納部を上下方向、左右方向に、自由に追加してリングの収納数を増やしていくことができ、リングへのアクセス方向も広がる、また、それぞれの収納部で収納部傾斜路の天井部から底部までの距離を違えて作れば厚みの異なる複数種類のリングを収納できるという効果がある。
【図面の簡単な説明】
【００３０】
【図１】  図１は本願考案のリング掛け治具に用いられるリング保持板の平面図である。
【図２】  図２は本願考案のリング掛け治具の斜視図である。
【図３】  図３は本願考案のリング掛け治具の正面図である。
【図４】  図４の（ａ）は本願考案のリング掛け治具の平面図である。図４の（ｂ）は本願考案のリング掛け治具の平面図の拡大図である。
【図５】  図５の（ａ）は本願考案のリング掛け治具の右側面図である。図５の（ｂ）は本願考案のリング掛け治具の右側面図の拡大図である。
【図６】  図６は本願考案のリング掛け治具の背面図である。
【図７】  図７は本願考案のリング掛け治具にリングを掛けた使用状態を示す斜視図である。
【図８】  図８の（ａ）は本願考案のリング掛け治具を、背片を利用して壁に取り付けた状態を示す。図８の（ｂ）は本願考案のリング掛け冶具を、側片を利用して壁に取り付けた状態を示す。
【図９】  図９の（ａ）、（ｂ）、（ｃ）は本願考案のリング掛け治具の、背片の代わりにリング保持板を設け、それぞれのリング保持板が背片を兼ねる場合のバリエーションを示す斜視図である。
【図１０】  図１０は本願考案のリング掛け治具の、前後複数掛けの場合のバリエーションを示す斜視図である。
【図１１】  図１１は本願考案のリング掛け治具の、図９で示すバリエーション版の前後複数掛けの場合のバリエーションを示す斜視図である。
【図１２】  図１２は本願考案のリング掛け治具の、上下複数掛けの場合のバリエーションを示す斜視図である。
【図１３】  図１３は本願考案のリング掛け治具の、図９で示すバリエーション版の上下複数掛けの場合のバリエーションを示す斜視図である。
【図１４】  図１４は本願考案のリング掛け治具の、左右にリング保持板を設けた場合のバリエーションを示す斜視図である。
【図１５】  図１５は本願考案のリング掛け治具の、図１４で示すバリエーション版の上下複数掛けの場合のバリエーションを示す斜視図である。
【考案を実施するための形態】
【００３１】  本願考案のリング掛け治具１について、実施するための形態を図１〜図１５に従って詳しく述べる。
【００３２】  本願考案のリング掛け治具１は、先行技術文献の輪ゴム掛け具類に共通した「輪ゴムの収納部において輪ゴム同士が重なり合い取り出す輪ゴムのみを摘まむことが容易ではない」という問題を解決するために、リング６の収納部３においてリング６同士が重なり合わないよう対策し、開口部２を広くしてリング６を１本〜数本取り出す際に容易に摘まみ取り出せるようにし、リング６の収納も楽に行うことを可能とする。また、構造をシンプルにすることでリング掛け治具１を安価に提供すること目的としたものである。
【００３３】  リング保持板Ｐの上部片１ａと下部片１ｂとの間に設けた収納部３はスリット形状であり、収納部傾斜路の天井部３ｂと収納部傾斜路の底部３ｃの間の距離Ｌをリング６の１本分の厚みよりやや広めの幅、即ちリングの頂部６ａと天井部３ｂの隙間Ｓが多分に薄めの隙間をリング６の厚みに加算した幅としリング６同士が重ならないようにする。前記多分に薄めの隙間Ｓはリング６の厚みの１０％〜９０％が好適であり、７０％〜８０％が最も適する。しかし、この範囲に限定されるものではない。前記収納部３はリング６が複数本収納できる長さＷ４にする。前記長さＷ４に収納できるリング６は３０本程度が好適である。しかし、この範囲に限定されるものではない。また、開口部２はリング６が出し入れしやすい様、収納部傾斜路出入口部３ｄから開口部傾斜路突起部２ｂに向かい末広がりの漏斗型形状にする。
【００３４】  収納部３はリング６の取り出し時に後続リング６との離れを良くする目的で、また、リング６を収納する時に収納部傾斜路終端部３ｅに向かって滑りを良くする目的で、収納部傾斜路３ａには収納部傾斜路出入口部３ｄから収納部傾斜路終端部３ｅに向けてリング保持板の底辺Ｐｂに対し緩やかな下り傾斜の収納部傾斜路の傾斜角度βをつける。前記傾斜角度βは１０°〜４０°が好適であり、２０°〜３０°が最も適する。しかし、この範囲に限定されるものではない。この傾斜角度βと収納するリング６の数により収納部傾斜路の水平方向の幅Ｗ３が決まる。さらに、収納したリング６に傷がつかないよう、またリング保持板の底辺Ｐｂに触れて取り出しにくくならないよう、リング保持板の底辺から収納部傾斜路出入口部までの高さＨ３は、掛けるリング６の直径より小さくする。
【００３５】  開口部２は間口を広くとってリング６を入れやすくする、さらに収納部３に向かいリング６を入れやすくすると同時にリング６の取り出し時に後続リング６との離れをいっそう良くする目的で、また、収納したリング６の落下防止の目的で、開口部傾斜路２ａには開口部傾斜路突起部２ｂから収納部傾斜路出入口部３ｄに向けてリング保持板の底辺Ｐｂに対し下り傾斜の開口部傾斜路の傾斜角度αをつける。前記傾斜角度αは３０°〜８０°が好適であり、４０°〜７０°が最も適する。しかし、この範囲に限定されるものではない。また、前記傾斜角度αは前記収納部傾斜路の傾斜角度βより２０°〜４０°大きい傾斜角度が好適である。しかし、この範囲に限定されるものではない。尚、開口部傾斜路の水平方向の幅Ｗ２および収納部傾斜路出入口部から開口部傾斜路突起部まで高さＨ２は必要最小限とし、リング掛け治具１が不要に大きくならないようにする。前記幅Ｗ２および前記高さＨ２は５ｍｍ〜２０ｍｍが好適であり、１０ｍｍ程度が最も適する。しかし、この範囲に限定されるものではない。
【００３６】  リング保持板Ｐの幅Ｗ１は、前記開口部傾斜路の水平方向の幅Ｗ２と前記収納部傾斜路の水平方向の幅Ｗ３により確定し、リング保持板Ｐの高さＨ１は、前記収納部傾斜路出入口部から開口部傾斜路突起部まで高さＨ２と前記リング保持板の底辺から収納部傾斜路出入口部までの高さＨ３と開口部傾斜路突起部２ｂから上部片１ａ側に延びた漏斗型の開口部２の開口端までの高さにより確定する。
【００３７】  リング保持板Ｐと側片１ｃ又は側片大１ｃｂ、背片１ｄ又は背片大１ｄｂの間に収納スペース４を設け、リング６の出し入れ操作と収納を楽にする。
【００３８】  開口部２の開口部傾斜路突起部２ｂおよび収納部傾斜路出入口部３ｄは角に丸みをつけリング６を取り出す時および収納する時にリング６が引っかからないようにする。また、収納部３および開口部２のすべての縁は滑らかに仕上げ、リング６の滑りを良くするとともにリング６に傷がつかないようにする。
【００３９】  固定手段５はリング掛け冶具１を固定して使用する場合に、側片１ｃ又は側片大１ｃｂ、または背片１ｄ又は背片大１ｄｂにて取付け面７へ取り付ける方法で、接着テープまたはマグネット、予算が許せばこの両方を付する。側片１ｃ又は側片大１ｃｂ、または背片１ｄ又は背片大１ｄｂに接着テープを使用した場合は取り付ける面を選ばず、側片１ｃ又は側片大１ｃｂ、または背片１ｄ又は背片大１ｄｂにマグネットを使用した場合はマグネットが有効な面に対し脱着が簡単に行えるので取り付け位置の移動が楽にできる。
【００４０】  図７はリング６を掛けた状態で、リング６の１本１本が重ならず整列している様子を表す。
【００４１】  図８（ａ）はリング掛け治具１を固定手段５の背片１ｄを用いて取り付けた場合で、図８（ｂ）はリング掛け治具１を固定手段５の側片１ｃを用いて取り付けた場合であり、取り付け方によりリング６へアクセスする方向も変えることができる。
【００４２】  本リング掛け治具１は、フリーで使用する場合は勿論のこと、取付け面７に固定して使う場合にも取り付ける角度により収納部３と開口部２を合わせた全体の角度設定は自由である。
【００４３】  図１〜図８、図１０、図１２に示すリング掛け治具１は右利きの人でもまた左利きの人でも便利に使用できるものである。側片１ｃまたは側片大１ｃｂ、背片１ｄまたは背片大１ｄｂを含め左右を１８０度逆に作った対象形のものも利便性が高い。
【００４４】（バリエーション１）
図９（ａ）〜（ｃ）で示すように、背片１ｄの代わりにリング保持板Ｐをもうひとつ作りそれぞれのリング保持板Ｐが背片１ｄを兼ねる構造にする。この構成では、使用するリング保持板Ｐによりリング６にアクセスする方向も変わり利便性が向上する。両方のリング保持板Ｐにリング６を掛けて使用する場合はリング６の収納数を倍増できる。また、それぞれの収納部３で収納部傾斜路の天井部から底部までの距離Ｌを違えて作れば厚みの異なる２種類のリング６を収納することができる。取付け面７に取り付けて両方のリング保持板Ｐを使用する場合には側片１ｃを利用する。
【００４５】（バリエーション２）
図１０で示すように、図１〜図７の構成を前後方向へ複数個拡張するものである。本構成では最後部の１個を除いて他は背片１ｄを持たない。この構成では、リング掛け冶具１の幅および高さを拡張せずにリング保持板Ｐを自由に追加していくことができる。また、それぞれの収納部３で収納部傾斜路の天井部から底部までの距離Ｌを違えて作れば厚みの異なる複数種類のリング６を収納することができる。利用の仕方により、取付け面７への取り付け方により、リング６へアクセスする方向も変えることができる。
【００４６】（バリエーション３）
図１１で示すように、図９の構成を前後方向へ複数個拡張するものである。この構成では、リング掛け冶具１の幅および高さを拡張せずにリング保持板Ｐを自由に追加していくことができる。また、それぞれの収納部３で収納部傾斜路の天井部から底部までの距離Ｌを違えて作れば厚みの異なる複数種類のリング６を収納することができる。利用の仕方により、取付け面７への取り付け方により、リング６へアクセスする方向も変えることができる。
【００４７】（バリエーション４）
図１２で示すように、図１〜図７の構成を上下方向へ複数個拡張するものである。拡張に際し、側片大１ｃｂと背片大１ｄｂを用い上下方向のそれぞれのリング保持板Ｐの間に位置するリング保持板の上辺Ｐａと底辺Ｐｂの間にリング受け部８を設ける。この構成では、リング掛け冶具１の幅を拡張せずにリング保持板Ｐを自由に追加していくことができる。また、それぞれの収納部３で収納部傾斜路の天井部から底部までの距離Ｌを違えて作れば厚みの異なる複数種類のリング６を収納することができる。利用の仕方により、取付け面７への取り付け方により、リング６へアクセスする方向も変えることができる。
【００４８】（バリエーション５）
図１３で示すように、図９の構成を上下方向へ複数個拡張するものである。拡張に際し、側片大１ｃｂを用い上下方向のそれぞれのリング保持板Ｐの間に位置するリング保持板の上辺Ｐａと底辺Ｐｂの間にリング受け部８を設ける。この構成では、リング掛け冶具１の幅を拡張せずにリング保持板Ｐを自由に追加していくことができる。また、それぞれの収納部３で収納部傾斜路の天井部から底部までの距離Ｌを違えて作れば厚みの異なる複数種類のリング６を収納することができる。利用の仕方により、取付け面７への取り付け方により、リング６へアクセスする方向も変えることができる。
【００４９】（バリエーション６）
図１４で示すように、側片１ｃを中心にしてリング保持板Ｐを左右対称に設けたものである。取付け面７に取り付けて使用する場合は背片１ｄを用いる。この構成ではリング保持板Ｐを左右に設けることでリング６の収納数を倍増できる。また、それぞれの収納部３で収納部傾斜路の天井部から底部までの距離Ｌを違えて作れば厚みの異なる２種類のリング６を収納することもできる。また、左右からリング６にアクセスすることができる。
【００５０】（バリエーション７）
図１５で示すように、図１４の構成を上下方向に複数個拡張するものである。拡張に際し、側片大１ｃｂと背片大１ｄｂを用い上下方向のそれぞれのリング保持板Ｐの間に位置するリング保持板の上辺Ｐａと底辺Ｐｂの間にリング受け部８を設ける。取付け面７に取り付けて使用する場合は背片１ｄｂを用いる。この構成では、リング保持板Ｐを上下左右に自由に追加していくことができる。また、それぞれの収納部３で収納部傾斜路の天井部から底部までの距離Ｌを違えて作れば厚みの異なる複数種類のリング６を収納することができる。また、左右からリング６にアクセスすることができる。
【００５１】  構造が非常にシンプルで、上部片１ａ、下部片１ｂ、側片１ｃまたは側片大１ｃｂ、背片１ｄまたは背片大１ｄｂ、開口部２、収納部３はプラスチック等の材料で１体成型することで製造コストが抑えられ安価に提供することができる。
作る材料はプラスチックに限らず、段ポール等の紙や木、金属など使う場所により自由で何でもよい。特徴として紙は水に弱く耐久性に劣る傾向がある。
木は板を曲げ加工して一体成型するか部品毎に作り組み上げる手間がある。
また、金属は耐久性では良いが加工費と材料費が高くなる傾向がある。
【００５２】  開口部２、収納部３、収納スペース４を確保できて、リング保持板Ｐを上下に複数個作った場合はリング受け部８も併せて確保できて、リング６の脱着作業の邪魔にならず取付け強度があれば自由な形や色でよく、たとえば花の形や動物の形、乗り物の形など様々な形が考えられる。
【実施例】
【００５３】  以下、本考案のリング掛け治具１の実施例について詳しく述べる。
【実施例１】  収納するリング６は直径３８ｍｍ、厚み１ｍｍの輪ゴムとし収納量は３０本を目安とした。材料は２ｍｍ厚の段ボールと固定手段５として直径２０ｍｍ、厚み４ｍｍのマグネットを２個と幅１５ｍｍ、長さ２０ｍｍの両面テープを２枚とした。
次に製作手順について詳しく述べる。
（１）材料の切断
段ボールを幅８０ｍｍ、高さ４５ｍｍに切断して、リング掛け治具１のベースとした。
（２）開口部２の製作
前記切断した段ボールの右端上端から下へ１５ｍｍ下がった位置を開口部傾斜路突起部２ｂとし、そこから左方向へ開口部傾斜路の傾斜角度αを５０°とする下り傾斜で開口部傾斜路の水平方向の幅Ｗ２が１０ｍｍとなる位置まで切り込みを入れ、そこを収納部傾斜路出入口部３ｄとし、次に前記収納部傾斜路出入口部３ｄの位置から真上に１．５ｍｍ上がった位置から７０°の上り傾斜で段ボールの右端まで切り抜き、漏斗型の開口部２を製作した。
（３）収納部３の製作
前記開口部２の切れ込みを終えた収納部傾斜路出入口部３ｄとその真上１．５ｍｍの２ヶ所から左方向へ、それぞれ収納部傾斜路の傾斜角度βを２０°とする下り傾斜で収納部傾斜路の水平方向の幅Ｗ３が３５ｍｍの位置まで切り込んで収納部傾斜路の天井部３ｂと底部３ｃを作り、収納部傾斜路終端部３ｅの位置にて不要となった段ボールを切り取って収納部傾斜路の天井部から底部までの距離Ｌが約１．５ｍｍの収納部３を製作した。
（４）リング保持板Ｐ、側片１ｃ、背片１ｄの製作
前記開口部２と収納部３の製作を終えた段ボールを左端から右方向２０ｍｍの位置で後ろ側に９０°折り曲げて背片１ｄを作り、折り曲げた位置からさらに右方向１５ｍｍの位置から９０°後ろに折り曲げて側片１ｃを作りコの字型にし、収納部傾斜路の天井部から底部までの距離Ｌが約１．５ｍｍの収納部３を持つ幅４５ｍｍのリング保持板Ｐと、収納スペース４が１５ｍｍとなる側片１ｃと幅２０ｍｍの背片１ｄを製作した。
（５）固定手段５の取付け
固定手段５はマグネットを使用、背片１ｄの上下に直径２０ｍｍのマグネットをそれぞれ１個、両面テープで貼り付けた。
【実施例２】  収納するリング６は直径３８ｍｍ、厚み１ｍｍの輪ゴムとし収納量は３０本を目安とした。材料は１．５ｍｍ厚の透明プラスチック板とプラスチック用接着剤と固定手段５として直径２０ｍｍ、厚み４ｍｍのマグネットを２個と幅１５ｍｍ、長さ２０ｍｍの両面テープを２枚とした。
次に製作手順について詳しく述べる。
（１）材料の切断
プラスチック板を、リング保持板Ｐ用として幅４５ｍｍ、高さ４５ｍに、側片１ｃ用として幅１８ｍｍ、高さ４５ｍｍに、背片１ｄ用として幅２０ｍｍ、高さ４５ｍｍにそれぞれ１枚ずつ切断した。
（２）開口部２の製作
前記切断したリング保持板Ｐの右端上端から下へ１５ｍｍ下がった位置を開口部傾斜路突起部２ｂとし、そこから左方向へ開口部傾斜路の傾斜角度αを６０°とする下り傾斜で開口部の水平方向の幅Ｗ２が１０ｍｍとなる位置まで切り込みを入れ、そこを収納部傾斜路出入口部３ｄとし、次に前記収納部傾斜路出入口部３ｄの位置から真上に１．８ｍｍ上がった位置から８０°の上り傾斜でプラスチック板の右端まで切り抜き、漏斗型の開口部２を製作した。
（３）上部片１ａ、下部片１ｂの製作
前記開口部２の切れ込みを終えた収納部傾斜路出入口部３ｄとその真上１．８ｍｍの２ヶ所から、それぞれ収納部傾斜路の傾斜角度βを２５°とする下り傾斜でリング保持板Ｐの左端まで切り抜いて、上部片１ａと下部片１ｂを製作した。
（４）仕上げ
切断した各部品の外周を含め、切り込んだすべての部分をヤスリで慣らし丸みをつけた。
（５）上部片１ａ、下部片１ｂ、側片１ｃ、背片１ｄの組み立て
前記で製作した上部片１ａの収納部傾斜路終端部３ｅ側の切り口を幅１８ｍｍの側片１ｃの左端にそれぞれの上端を合わせてプラスチック接着剤で接着し、前記で製作した下部片１ｂの収納部傾斜路終端部３ｅ側の切り口を前記側片１ｃの左端下部、即ち接着した上部片の下側にそれぞれの下端を合わせてプラスチック接着剤で接着し、次に幅２０ｍｍの背片１ｄを前記側片１ｃの右側端に高さを合わせてプラスチック接着剤で接着してコの字型に上部片１ａ、下部片１ｂ、側片１ｃ、背片１ｄを組み立て、収納部傾斜路の天井部から底部までの距離Ｌが約１．８ｍｍの収納部３を持つ幅４６．５ｍｍのリング保持板Ｐと１５ｍｍの収納スペース４を確保する側片１ｃと幅２１．５ｍｍの背片１ｄを製作した。
（６）固定手段５の取付け
固定手段５はマグネットを使用、背片１ｄの上下に直径２０ｍｍのマグネットをそれぞれ１個、両面テープで貼り付けた。
【実施例３】  収納するリング６は直径３８ｍｍ、厚み１ｍｍの輪ゴムとし収納量は３０本を目安とした。材料は２．３ｍｍ厚の合板と幅１８ｍｍの角材と木工用接着剤と固定手段５として直径２０ｍｍ、厚み４ｍｍのマグネットを２個と幅１５ｍｍ、長さ２０ｍｍの両面テープを２枚とした。
次に製作手順について詳しく述べる。
（１）材料の切断
合板を、リング保持板Ｐ用として幅６３ｍｍ、高さ４５ｍｍに、角材を側片１ｃ兼背片１ｄ用として高さ４５ｍｍにそれぞれ切断した。
（２）開口部２の製作
前記切断したリング保持板Ｐの右端上端から下へ１５ｍｍ下がった位置を開口部傾斜路突起部２ｂとし、そこから左方向へ開口部傾斜路の傾斜角度αを６０°とする下り傾斜で開口部の水平方向の幅Ｗ２が１０ｍｍとなる位置まで切り込みを入れ、そこを収納部傾斜路出入口部３ｄとし、次に前記収納部傾斜路出入口部３ｄの位置から真上に１．８ｍｍ上がった位置から８０°の上り傾斜で合板の右端まで切り抜き、漏斗型の開口部２を製作した。
（３）収納部３の製作
前記開口部２の切れ込みを終えた収納部傾斜路出入口部３ｄとその真上１．８ｍｍの２ヶ所から左方向へ、それぞれ収納部傾斜路の傾斜角度βを２５°とする下り傾斜で収納部傾斜路の水平方向の幅Ｗ３が３５ｍｍの位置まで切り込んで収納部傾斜路の天井部３ｂと底部３ｃを作り、収納部傾斜路終端部３ｅの位置にて不要となった合板を切り取って収納部傾斜路の天井部から底部までの距離Ｌが約１．８ｍｍの収納部３を製作した。
（４）仕上げ
切断した各部品の外周を含め、切り込んだすべての部分をヤスリで慣らし丸みをつけた。
（５）リング保持板Ｐと側片１ｃ、背片１ｄの組み立て
幅１８ｍｍの側片１ｃ兼背片１ｄの角材の左端上端に開口部２と収納部３の製作を終えた前記リング保持板Ｐの左端上端を合わせ木工用接着剤で接着して組み立て、収納部傾斜路の天井部から底部までの距離Ｌが１．８ｍｍの収納部３を持つ正味幅４５ｍｍのリング保持板Ｐと１８ｍｍの収納スペース４を確保する側片１ｃと同１８ｍｍ幅の背片１ｄを製作した。
（６）固定手段５の取付け
固定手段５はマグネットを使用、背片１ｄの上下に直径２０ｍｍのマグネットをそれぞれ１個両面テープで貼り付けた。
【実施例４】  リング掛け治具１のバリエーション１の製作
収納するリング６は直径３８ｍｍ、厚み１ｍｍの輪ゴムとし収納量は６０本を目安とした。材料は２ｍｍ厚の段ボールと固定手段５として直径２０ｍｍ、厚み４ｍｍのマグネットを２個と幅１５ｍｍ、長さ２０ｍｍの両面テープを２枚とした。
次に製作手順について詳しく述べる。
（１）材料の切断
段ボールを幅１０５ｍｍ、高さ４５ｍｍに切断して、リング掛け治具１のバリエーション１のベースとした。
（２）開口部２の製作
前記切断した段ボールの右端の上端から下へ１５ｍｍ下がった位置を開口部傾斜路突起部２ｂとし、そこから左方向へ開口部傾斜路の傾斜角度αを６０°とする下り傾斜で開口部傾斜路の水平方向の幅Ｗ２が１０ｍｍとなる位置まで切り込みを入れ、そこを収納部傾斜路出入口部３ｄとし、次に前記収納部傾斜路出入口部３ｄの位置から真上に１．８ｍｍ上がった位置から８０°の上り傾斜で段ボールの右端まで切り抜き、漏斗型の開口部２を製作した。次に段ボールの左端から右方向にも前記同様に漏斗型の開口部２を製作した。
（３）収納部３の製作
前記開口部２の切れ込みを終えた左右それぞれの収納部傾斜路出入口部３ｄとその真上１．８ｍｍの２ヶ所から、右の開口部２からは左方向へ、左の開口部２からは右方向へそれぞれ収納部傾斜路の傾斜角度βを２５°とする下り傾斜で収納部傾斜路の水平方向の幅Ｗ３が３５ｍｍの位置まで切り込んで収納部傾斜路の天井部３ｂと底部３ｃを作り、収納部傾斜路終端部３ｅの位置にて不要となった段ボールを切り取って収納部傾斜路の天井部から底部までの距離Ｌが約１．８ｍｍの収納部３を左右に製作した。
（４）リング保持板Ｐ２個、側片１ｃの製作
前記開口部２と収納部３の製作を終えた段ボールを左端から右方向４５ｍｍの位置で後ろ側に９０°折り曲げてリング保持板Ｐを作り、折り曲げた位置からさらに右方向１５ｍｍの位置から９０°後ろに折り曲げて側片１ｃを作りコの字型にし、収納部傾斜路の天井部から底部までの距離Ｌが約１．８ｍｍの収納部３を持つ幅４５ｍｍのリング保持板Ｐを表裏にそれぞれ１個と収納スペース４が１５ｍｍとなる側片１ｃを製作した。
（５）固定手段５の取付け
固定手段５はマグネットを使用、側片１ｃの上下に直径２０ｍｍのマグネットをそれぞれ１個、両面テープで貼り付けた。
【実施例５】  リング掛け治具１のバリエーション７の製作
収納するリング６は直径３８ｍｍ、厚み１ｍｍの輪ゴムと、直径４２ｍｍ、厚み３．５ｍｍのゴムパッキンとし、収納量は輪ゴムが３０本、ゴムパッキンが１０本を目安とした。材料は２．３ｍｍ厚の合板と幅２４ｍｍの角材と木工用接着剤と固定手段５として直径２０ｍｍ、厚み４ｍｍのマグネットを３個と幅１５ｍｍ、長さ２０ｍｍの両面テープを３枚とした。
次に製作手順について詳しく述べる。
（１）材料の準備
合板を幅１１４ｍｍ、高さ４５ｍｍに切断した１枚２個組のリング保持板Ｐを３枚、角材を高さ１７５ｍｍに切断し側片大１ｃｂ兼背片大１ｄｂとして１本準備した。
（２）開口部２の製作
前記切断したリング保持板Ｐの１枚を右端の上端から下へ１５ｍｍ下がった位置を開口部傾斜路突起部２ｂとし、そこから左方向へ開口部傾斜路の傾斜角度αを６０°とする下り傾斜で開口部の水平方向の幅Ｗ２が１０ｍｍとなる位置まで切り込みを入れ、そこを収納部傾斜路出入口部３ｄとし、次に前記収納部傾斜路出入口部３ｄの位置から真上に１．８ｍｍ上がった位置から８０°の上り傾斜で合板の右端まで切り抜き、１つ目の漏斗型の開口部２を製作、次に同リング保持板Ｐの左端の上端から下へ１５ｍｍ下がった位置を開口部傾斜路突起部２ｂとし、そこから右方向に開口部傾斜路の傾斜角度αを６０°とする下り傾斜で開口部の水平方向の幅Ｗ２が１０ｍｍとなる位置まで切り込みを入れ、そこを収納部傾斜路出入口部３ｄとし、次に前記収納部傾斜路出入口部３ｄの位置から真上に６．０ｍｍ上がった位置から８０°の上り傾斜で合板の右端まで切り抜き、２つ目の漏斗型の開口部２を製作した。残り２枚のリング保持板Ｐも同様に製作した。
（３）収納部３の製作
前記２つの開口部２の切れ込みを終えたリング保持板Ｐの３枚の内の１枚を、リング保持板Ｐの右側の収納部傾斜路出入口部３ｄとその真上１．８ｍｍの２ヶ所から左方向へ、それぞれ収納部傾斜路の傾斜角度βを２５°とする下り傾斜で収納部傾斜路の水平方向の幅Ｗ３が３５ｍｍの位置まで切り込んで収納部傾斜路の天井部３ｂと底部３ｃを作り、収納部傾斜路終端部３ｅの位置にて不要となった合板を切り取って収納部傾斜路の天井部から底部までの距離Ｌが約１．８ｍｍの１つ目の収納部３を製作、次に同リング保持板Ｐの左側の収納部傾斜路出入口部３ｄとその真上６．０ｍｍの２ヶ所から右方向へ、それぞれ収納部傾斜路の傾斜角度βを２５°とする下り傾斜で収納部傾斜路の水平方向の幅Ｗ３が３５ｍｍの位置まで切り込んで収納部傾斜路の天井部３ｂと底部３ｃを作り、収納部傾斜路終端部３ｅの位置にて不要となった合板を切り取って収納部傾斜路の天井部から底部までの距離Ｌが約６．０ｍｍの２つ目の収納部３を製作した。残り２枚のリング保持板Ｐも同様に製作した。
（４）仕上げ
切断した各部品の外周を含め、切り込んだすべての部分をヤスリで慣らし丸みをつけた。
（５）リング保持板Ｐ、側片大１ｃｂ、背片大１ｄｂの組み立て
幅２４ｍｍの側片大１ｃｂ兼背片大１ｄｂの角材の上端に、左右の開口部２と収納部３の製作を終えた前記リング保持板Ｐの内の１枚をリング保持板の上辺Ｐａと左右の収納部傾斜路終端部３ｅの間を合わせ木工用接着剤で接着、残りのリング保持板Ｐの内の１枚を前記接着したリング保持板の底辺Ｐｂから２０ｍｍ下がった側片大１ｃｂ兼背片大１ｄｂの角材の位置にリング保持板の上辺Ｐａと左右の収納部傾斜路終端部３ｅの間を合わせ木工用接着剤で接着、最後のリング保持板Ｐを側片大１ｃｂ兼背片大１ｄｂの角材の下端にリング保持板の底辺Ｐｂと左右の収納部傾斜路終端部３ｅの間を合わせ木工用接着剤で接着して組み立て、収納部傾斜路の天井部から底部までの距離Ｌが側片大１ｃｂを中心として右側が１．８ｍｍの収納部３を持つ正味幅４５ｍｍのリング保持板Ｐを上下方向に３個、左側が６．０ｍｍの収納部３を持つ正味幅４５ｍｍのリング保持板Ｐを上下方向に３個、計６個のリング保持板Ｐと２４ｍｍの収納スペース４を確保する側片大１ｃｂと同２４ｍｍ幅の背片大１ｄｂを製作した。
（６）固定手段の取付け
固定手段５はマグネットを使用、背片大１ｄｂの上、中、下の３ヶ所に直径２０ｍｍのマグネットをそれぞれ１個両面テープで貼り付けた。
【産業上の利用可能性】
【００５４】  家庭の台所はもとより、プライベートルームや教育の場、各種イベントホームセンター、スーパーマーケット等、利用できるところは各分野、多岐に渡るので産業上の利用可能性は大きい。
【符号の説明】
【００５５】  １      リング掛け治具
１ａ    上部片
１ｂ    下部片
１ｃ    側片
１ｃｂ  側片（大）
１ｄ    背片
１ｄｂ  背片（大）
Ｐ      リング保持板
Ｐａ    リング保持板の上辺
Ｐｂ    リング保持板の底辺
Ｗ１    リング保持板の幅
Ｈ１    リング保持板の高さ
２      開口部
２ａ    開口部傾斜路
２ｂ    開口部傾斜路突起部
α      リング保持板の底辺に対する開口部傾斜路の傾斜角度
Ｗ２    開口部傾斜路の水平方向の幅
Ｈ２    収納部傾斜路出入口部から開口部傾斜路突起部までの高さ
３      収納部
３ａ    収納部傾斜路
３ｂ    収納部傾斜路の天井部
３ｃ    収納部傾斜路の底部
３ｄ    収納部傾斜路出入口部
３ｅ    収納部傾斜路終端部
β      リング保持板の底辺に対する収納部傾斜路の傾斜角度
Ｗ３    収納部傾斜路の水平方向の幅
Ｈ３    リング保持板の底辺から収納部傾斜路出入口部までの高さ
Ｌ      収納部傾斜路の天井部から底部までの距離
Ｓ      リングの頂部と収納部傾斜路の天井部との隙間
Ｗ４    収納部傾斜路の長さ
４      収納スペース
５      固定手段
６      リング
６ａ    リングの頂部
７      取付け面
８      リング受け部
【図１】
0003210418.tif 000003
【図２】
0003210418.tif 000004
【図３】
0003210418.tif 000005
【図４】
0003210418.tif 000006
【図５】
0003210418.tif 000007
【図６】
0003210418.tif 000008
【図７】
0003210418.tif 000009
【図８】
0003210418.tif 000010
【図９】
0003210418.tif 000011
【図１０】
0003210418.tif 000012
【図１１】
0003210418.tif 000013
【図１２】
0003210418.tif 000014
【図１３】
0003210418.tif 000015
【図１４】
0003210418.tif 000016
【図１５】
0003210418.tif 000017
【手続補正書】
【提出日】平成29年3月1日(2017.3.1)
【手続補正１】
【補正対象書類名】実用新案登録請求の範囲
【補正対象項目名】全文
【補正方法】変更
【補正の内容】
【実用新案登録請求の範囲】
【請求項１】
上部片（１ａ）と下部片（１ｂ）からなる少なくとも１個のリング保持板（Ｐ）を備えたリング掛け治具（１）であって、前記リング保持板（Ｐ）は前記上部片（１ａ）と下部片（１ｂ）の間にリング（６）の出し入れを可能とした開口部傾斜路（２ａ）を備えた開口部（２）と前記開口部（２）に続いてリングの収納を可能とした収納部傾斜路（３ａ）を備えた収納部（３）が少なくともそれぞれ１個設けられていることを特徴とするリング掛け治具。
【請求項２】
前記リング保持板（Ｐ）と側片（１ｃ）と背片（１ｄ）とで囲まれたリング掛け治具（１）であって、前記リング保持板（Ｐ）は前記側片（１ｃ）に繋がって設けられており、前記側片（１ｃ）は前記背片（１ｄ）に繋がって設けられており、平面視コの字型の形状とし、該コの字型形状で囲まれた部分にリング（６）を収納するための収納スペース（４）が設けられていることを特徴とする請求項１に記載のリング掛け治具。
【請求項３】
前記収納部傾斜路（３ａ）に天井部（３ｂ）と底部（３ｃ）が設けられており、前記天井部（３ｂ）と底部（３ｃ）との間に所定の大きさの距離（Ｌ）が設けられており、収納したリング（６）の頂部（６ａ）と前記天井部（３ｂ）との間に多分に薄めの隙間（Ｓ）が設けられており、前記収納部傾斜路（３ａ）の長さ（Ｗ４）は複数のリング（６）を収納可能とする長さであることを特徴とする請求項１又は２に記載のリング掛け治具。
【請求項４】
前記収納部傾斜路（３ａ）に収納部傾斜路出入口部（３ｄ）と収納部傾斜路終端部（３ｅ）が設けられており、前記収納部傾斜路（３ａ）に前記収納部傾斜路出入口部（３ｄ）から前記収納部傾斜路終端部（３ｅ）に向けてリング保持板の底辺（Ｐｂ）に対し緩やかな下りこう配の傾斜角度（β）を設けたことを特徴とする請求項１〜３のいずれかに記載のリング掛け治具。
【請求項５】
前記開口部傾斜路（２ａ）を備えた開口部（２）の形状が、開口部傾斜路突起部（２ｂ）から前記収納部傾斜路出入口部（３ｄ）へ向けて設けられた漏斗型形状であることを特徴とする請求項４に記載のリング掛け治具。
【請求項６】
前記開口部傾斜路（２ａ）に、前記開口部傾斜路突起部（２ｂ）から前記収納部傾斜路出入口部（３ｄ）に向けてリング保持板の底辺（Ｐｂ）に対し前記収納部傾斜路の傾斜角度（β）より大きい下りこう配の傾斜角度（α）を設けたことを特徴とする請求項５に記載のリング掛け治具。
【請求項７】
前記側片（１ｃ）および背片（１ｄ）の少なくとも何れか一方に固定手段（５）が設けられており、該固定手段（５）を用いてリング掛け治具（１）を取付け面（７）に取り付け可能とすることを特徴とする請求項２に記載のリング掛け治具。
【請求項８】
前記請求項１〜７のいずれかに記載のリング掛け治具（１）において、リング保持板（Ｐ）が前後方向に複数個設けられ、それぞれのリング保持板（Ｐ）の収納部傾斜路終端部（３ｅ）側の端縁にはそれぞれ側片（１ｃ）が設けられ繋がっていて、側片（１ｃ）の両端部にはリング保持板（Ｐ）および背片（１ｄ）の少なくともいずれか一方が繋がっていることを特徴とするリング掛け治具。
【請求項９】
前記請求項１〜７のいずれかに記載のリング掛け治具（１）において、リング保持板（Ｐ）が側片大（１ｃｂ）の一方の端の上下方向に複数個設けられ、上下方向のそれぞれのリング保持板（Ｐ）の間に位置するリング保持板の上辺（Ｐａ）と底辺（Ｐｂ）の間にはリング受け部（８）が設けられ、側片大（１ｃｂ）の他方の端には背片大（１ｄｂ）が設けられ繋がっていることを特徴とするリング掛け治具。
【請求項１０】
前記請求項１〜７のいずれかに記載のリング掛け治具（１）において、リング保持板（Ｐ）が側片大（１ｃｂ）の両端にそれぞれ上下方向に複数個設けられ、それぞれの上下方向のそれぞれのリング保持板（Ｐ）の間に位置するリング保持板の上辺（Ｐａ）と底辺（Ｐｂ）の間にはリング受け部（８）が設けられていることを特徴とするリング掛け治具。
【請求項１１】
前記請求項１〜７のいずれかに記載のリング掛け治具（１）において、リング保持板（Ｐ）が側片（１ｃ）を中心として左右対称に設けられていることを特徴とするリング掛け治具。
【請求項１２】
前記請求項１〜７のいずれかに記載のリング掛け治具（１）において、リング保持板（Ｐ）が側片大（１ｃｂ）の一方の端の上下左右に複数個設けられ、上下方向のそれぞれのリング保持板（Ｐ）の間に位置するリング保持板の上辺（Ｐａ）と底辺（Ｐｂ）の間にはリング受け部（８）が設けられ、側片大（１ｃｂ）の他方の端には背片大（１ｄｂ）が設けられ繋がっていることを特徴とするリング掛け治具。